(57)【要約】      （修正有）【課題】ルアー釣りに使われ、ラインを引く動作を止めたら急激にスピードが落ちるようなルアーを提供する。【解決手段】ルアー本体と、そのルアー本体２１から離れるように位置して水流抵抗を受ける形状をなす滞流部材とを有し、釣り針１１を刺すための前方部２１と、その前方部２１から後方へ延設された尾部２２と、その尾部２２において水流を受ける抵抗部２３と、を備えたルアー２０である。前方部２１の軸方向と、尾部２２における少なくとも前方部２１寄りの軸方向とは鈍角をなすように連続して延設する。尾部２２は、可撓性を備えた材質にて前方部２１よりも外力にて変形しやすく形成する。抵抗部２３は、尾部の軸方向が水流によって前方部の軸方向に近づくように変形した場合に、その変形を戻そうとする水流受け面を備える。【選択図】図１
0003191193.tif 000002
【実用新案登録請求の範囲】
【請求項１】
釣り針を備える前方部と、その前方部から後方へ延設された尾部と、その尾部において水流を受ける抵抗部と、を備えたルアーであって、
前記の前方部の軸方向と、尾部における少なくとも前方部寄りの軸方向とは鈍角をなすように連続して延設しており、
前記の尾部は、可撓性を備えた材質にて前方部よりも外力にて変形しやすく形成するとともに、
前記の抵抗部は、前記の尾部の軸方向が水流によって前記の前方部の軸方向に近づくように変形した場合に、その変形を戻そうとする水流受け部を備えることとしたルアー。
【請求項２】
前記の抵抗部は、前記の尾部の軸方向が水流によって前記の前方部の軸方向に近づくように変形した場合に、前方部の軸方向に対して鋭角となるような面をなす水流受け面を備えることとした請求項１に記載のルアー。
【請求項３】
前記の抵抗部を、前記の尾部に複数備えることした請求項１または請求項２のいずれかに記載のルアー。
【請求項４】
釣り針を備える前方部と、その前方部に対して着脱自在な尾部とによって形成されるルアーにおける前記の尾部の構造たるルアー用部材であって、
前記の尾部において水流を受ける抵抗部を備え、
前記の前方部の軸方向と、尾部における少なくとも前方部寄りの軸方向とは鈍角をなすように連続して延設しており、
前記の尾部は、可撓性を備えた材質にて前方部よりも外力にて変形しやすく形成するとともに、
前記の抵抗部は、前記の尾部の軸方向が水流によって前記の前方部の軸方向に近づくように変形した場合に、その変形を戻そうとする水流受け部を備えることとしたルアー用部材。
【請求項５】
前記の抵抗部は、前記の尾部の軸方向が水流によって前記の前方部の軸方向に近づくように変形した場合に、前方部の軸方向に対して鋭角となるような面をなす水流受け面を備えることとした請求項４に記載のルアー部材。
【請求項６】
前記の抵抗部を、前記の尾部に複数備えることした請求項４または請求項５のいずれかに記載のルアー用部材。
【考案の詳細な説明】
【技術分野】
【０００１】
本考案は、ルアー釣りにおいて、釣り針や錘とともに使われるルアーに関する。
【背景技術】
【０００２】
現在の釣りでは、活き餌の代わりに疑似餌（ルアー）を用いることが増えている。釣り竿を介したラインを釣り人が操作することによって、釣り針に刺さった活き餌は激しく動かすと、損傷したり、釣り針から外れたりするおそれがある。換言すれば、活き餌よりもルアーが優れている点として、激しく動かせるという点がある。
ルアーは、硬質材料にて形成したハードルアーと、軟質材料にて形成したソフトルアーとに大別される。それぞれに長短があるが、いずれも釣りの対象魚に対して、餌であるかを如何にアピールすることができるのか、を工夫することが必要である。
【０００３】
ソフトルアーは、水流を受けて変形したり動いたりする部位を作製することが可能である、というメリットがある。また、ルアー本体へ釣り針を刺してしまうことで、釣り針の大部分を対象魚から視認できなくしてしまえる、という使い方ができる。たとえば、特許文献１に開示された「ウィードレス・ソフトプラグ」と呼ばれるルアーである。
【０００４】
ソフトルアーの特徴である柔軟性を、ハードルアーにおいても具備させるため、たとえば特許文献２に開示された技術がある。すなわち、複数の分割体にて胴体部分を形成するのである。
【０００５】
さて、ソフトルアーは、その材質を軟質樹脂とすることがほとんどである。そのため、尾部を食いちぎられるなどして消耗することがある。そうした場合には、交換してしまうことが多い。
そこで、図６に示すようなルアー３０も提案されている。すなわち、ライン１０を接続するラインアイ３１や釣り針３２を備えた硬質材からなる前方部３３と、その前方部３３の後部から突出する差し込み片３４へ差し込んで尾部を形成する軟質樹脂による差し込み尾部３５とからなる、いわゆるハイブリッド型ルアー３０も提案されている。
ハイブリッド型ルアーは、消耗する可能性がある差し込み尾部３５を交換可能としているので、交換不要な前方部３３を繰り返し使用できるという利点がある。
【先行技術文献】
【特許文献】
【０００６】
【特許文献１】特開２０１４−７９９２号公報
【特許文献１】特開２０１１−４５３４０号公報
【考案の開示】
【考案が解決しようとする課題】
【０００７】
前述したように、活き餌よりもルアーが優れている点として、激しく動かせるという点がある。しかし、釣り人の意図通りにルアーを動かしたい、という要望に対して応えていない点もあった。
たとえば、本物の魚の泳ぎは、スピードを出して泳いだ後、急激にスピードを落として止まる。ところが、ラインを介して疑似餌にその泳ぎを再現させようとしても、急激にスピードが落ちることがなく、慣性で移動する距離が小さくない（図７参照）。本物の魚のように動かして対象魚を誘いたい釣り人としては、ラインを引く動作を止めたらその場に止まってくれるようなルアーを理想としており、現状のルアーに対しては潜在的に改善を望んでいた。
【０００８】
本考案が解決すべき課題は、ラインを引く動作を止めたら急激にスピードが落ちるようなルアーを提供することにある。
【課題を解決するための手段】
【０００９】
（第一の考案）
釣り針(11)を備える前方部(21)と、その前方部(21)から後方へ延設された尾部(22)と、その尾部(22)において水流を受ける抵抗部(23)と、を備えたルアー(20)に係る。
前記の前方部(21)の軸方向と、尾部(22)における少なくとも前方部(21)寄りの軸方向とは鈍角をなすように連続して延設しており、  前記の尾部(22)は、可撓性を備えた材質にて前方部(21)よりも外力にて変形しやすく形成する。
前記の抵抗部(23)は、前記の尾部(22)の軸方向が水流によって前記の前方部(21)の軸方向に近づくように変形した場合に、その変形を戻そうとする水流受け部(水流受け面23A)を備える。
【００１０】
（用語説明）
前方部(21)が備える釣り針(11)は、前方部(21)が釣り針(11)を刺せる場合には本考案に係るルアー(20)とは別体とし、ラインアイは釣り針(11)のものを用いる（図では錘付きの釣り針を用いている）。前方部(21)が硬質部材である場合には、前方部(21)と一体に形成してもよいし、別体でもよい。いずれであっても、ラインアイは、尾部(22)とは反対側に位置することとなる。
【００１１】
尾部(22)の軸方向は、後述する実施形態に開示しているように直線上とする他、少々湾曲していてもよい。
尾部(22)が前方部(21)よりも外力にて変形しやすく形成する場合として、後述する実施形態に開示しているように材質が同一である場合には、軸方向に垂直な断面が小さくなるように形成する。
【００１２】
（作用）
釣り竿を操作する釣り人が本考案に係るルアー(20)を、ライン(10)を介して引いたとする。するとライン(10)の方向へ水の抵抗に抗してルアー(20)が移動する。そのとき尾部(22)は、水の抵抗を受けて前方部(21)の軸方向と一致するように変形する。
釣り人がライン(10)へテンションを掛けていた状態を止めたとする。すると、抵抗部(23)の水流受け部(23A)は、水流抵抗を受けるので、変形していた尾部(22)を戻す方向へ力を加える。その結果、尾部(22)が大きな水流抵抗を受けることとなり、慣性で移動していたルアー(20)に対して大きな制動力となるため、ルアー(20)は程なく止まる。釣り人がライン(10)を引く動作を止めたら、ルアー(20)は急激にスピードが落ちて止まるので、釣り人が意図するように手繰ることに寄与する。
【００１３】
（第一の考案のバリエーション１）
第一の考案は、以下のよう形成することができる。
すなわち、前記の抵抗部(23)は、前記尾部(22)の軸方向が水流によって前記の前方部(21)の軸方向に近づくように変形した場合に、前方部(21)の軸方向に対して鋭角となるような面をなす水流受け面(23A)を備える。
ここで「前方部(21)の軸方向に対して鋭角」とは、前方部(21)の軸方向と前記の尾部(22)の軸方向とを含む平面を想定した上で、尾部(22)の軸方向が水流によって前方部(21)の軸方向に近づくように変形した場合に、水流受け面(23A)が前方部の軸方向に対して鋭角となる、ということである。より具体的には、図２に示す角度αのほか、図５（ｄ）に示す角度αのような場合もある。
【００１４】
（第一の考案のバリエーション２）
第一の考案は、前記の抵抗部を前記の尾部(22)に複数備えることしてもよい。
「複数備える」とは、尾部(22)における軸方向へ並列させて設ける場合が代表的であるが（図４（ｃ）参照）、これに限られるものではない。
【００１５】
（第二の考案）
釣り針(11)を備える前方部(21)と、その前方部(21)に対して着脱自在な尾部(22)とによって形成されるルアーにおける前記の尾部(22)の構造たるルアー用部材に係る。
その尾部(22)において水流を受ける抵抗部(23)を備え、  前記の前方部(21)の軸方向と、尾部(22)における少なくとも前方部(21)寄りの軸方向とは鈍角をなすように連続して延設している。  前記の尾部(22)は、可撓性を備えた材質にて前方部(21)よりも外力にて変形しやすく形成する。
前記の抵抗部(23)は、前記の尾部(22)の軸方向が水流によって前記の前方部(21)の軸方向に近づくように変形した場合に、その変形を戻そうとする水流受け部(水流受け面23A)を備える。
【００１６】
（作用）
尾部(22)を着脱自在としているので、抵抗部(23)を含めて尾部(22)が消耗してしまった場合には、交換すればよい。
【００１７】
（第二の考案のバリエーション１）
第二の考案も第一の考案と同様、前記の抵抗部(23)は、前記尾部(22)の軸方向が水流によって前記の前方部(21)の軸方向に近づくように変形した場合に、前方部(21)の軸方向に対して鋭角となるような面をなす水流受け面(23A)を備えることとしてもよい。
【００１８】
（第二の考案のバリエーション２）
第二の考案もまた、第一の考案と同様、前記の抵抗部を、前記の尾部(22)に複数備えることしてもよい。
【考案の効果】
【００１９】
第一の考案および第二の考案によれば、ラインを引く動作を止めたら急激にスピードが落ちるようなルアーを提供することができた。
【図面の簡単な説明】
【００２０】
【図１】本考案の第一の実施形態に係るルアーを示す斜視図である。
【図２】本考案の第一の実施形態に係るルアーの平面図および側面図である。
【図３】本考案の第一の実施形態に係るルアーが水中にある場合の平面図である。
【図４】本考案の第二の実施形態に係るルアーの平面図および側面図である。
【図５】本考案の第三および第四の実施形態に係るルアーの平面図および側面図である。
【図６】従来技術を示す側面図である。
【図７】従来技術に係るルアーが水中にある場合の平面図である。
【考案を実施するための形態】
【００２１】
以下、本考案の実施形態について図面を参照して説明する。ここで使用するのは、図１から図５である。図１から図３にて第一の実施形態を示す。図４（ａ）および（ｂ）にて第二の実施形態を、図４（ｃ）および（ｄ）にて第三の実施形態を示す。図５（ａ）および（ｂ）にて第四の実施形態を、図５（ｃ）および（ｄ）にて第五の実施形態を示す。
【００２２】
（図１）
図１に示すルアーは、可撓性を備えた材質（たとえば、シリコンゴム）にて形成されたソフトルアーであって、錘付きの釣り針１１を刺すための前方部２１と、その前方部２１から後方へ延設された尾部２２と、その尾部２２において水流を受ける抵抗部２３とを備え、二分割の型で一体に成型されている。
前述した釣り針１１は、本実施形態の場合にはルアー２０とは別体であり、ライン１０を接続するためのラインアイは釣り針１１のものを用いる。すなわち、ラインアイは、尾部２２とは反対側に位置することとなる。
【００２３】
前記の前方部２１の軸方向と、尾部２２の軸方向とは鈍角をなすように連続して延設しており、尾部２２は、前方部２１よりも外力にて変形しやすいように軸方向の断面積が小さくなるように形成している。
本実施形態の抵抗部２３は、平面形状が菱形をなし、尾部２２における前方部２１とは反対側の端部へ備えられ、その長手方向が前記の前方部２１における軸方向と略平行となる水流受け面２３Ａを備えている。本実施形態では抵抗部２３を前方部２１における軸方向と略平行としたが、後述するように、変形した状態を元の形状へ戻そうとする水流抵抗を受けるという機能を備えるならば、略平行とならなくても良い。
【００２４】
（図２）
図２に基づいて、第一の実施形態の作用について説明する。
図２（ａ）および（ｂ）は、釣り竿を操作する釣り人が第一の実施形態に係るルアー２０を、ライン１０を介して引く前の状態を示している。前方部２１の軸方向が水平である（図中の「Ｌ」が水平な面を示す）とし、尾部２２の軸方向が水平方向となす角度を「α」とする。すると、水流受け面２３Ａと水平方向がなす角度もαとなる。
【００２５】
続いて、釣り竿を操作する釣り人が第一の実施形態に係るルアー２０を、ライン１０を介して引いたとする（図２（ｃ））。するとライン１０の方向へ水の抵抗に抗してルアー２０が移動する。そのとき尾部２２は、水流抵抗を受けて前方部２１の軸方向と一致するように変形する。抵抗部２３（水流受け面２３Ａ）は、水流抵抗を大きく受けるわけではないが、尾部２２の軸方向と水流受け面２３Ａとがなす角度βは、αよりも小さくなる。
【００２６】
釣り人がライン１０へテンションを掛けていた状態を止めたとする。すると、抵抗部２３の平面部２３Ａは、水流抵抗を受けるので、変形していた尾部２２を戻す方向へ力を加える。
その結果、尾部２２が大きな水流抵抗を受けることとなり、慣性で移動していたルアー２０に対して大きな制動力となるため、ルアー２０は程なく止まる。釣り人がライン１０を引く動作を止めたら、ルアー２０は急激にスピードが落ちて止まるので、釣り人が意図するように手繰ることに寄与する。
【００２７】
（図３）
図３は、第一の実施形態に係るルアー２０を使用している際の平面図である。
釣り人が意図的に、ルアー20が左右へ振れるように操作したとき、尾部２２の軸方向がライン１０の方向とずれるように曲がる。そして、先細りした尾部２２の先端に位置する抵抗部２３付近は、湾曲し、抵抗部２３は水流抵抗を受ける。そのため、尾部２２の軸方向がライン１０の方向へ戻りやすい。
【００２８】
（図４）
図４（ａ）および（ｂ）では、抵抗部を尾部２２の先端ではなく、中間部分へ備えることとした実施形態を示している。この中間抵抗部２４の長手方向もまた、前方部２１における軸方向と略平行をなす。すなわち、前方部２１の軸方向が水平である場合、尾部２２の軸方向が水平線となす角度（α）と中間抵抗部２４の水流受け面がなす角度（α）とは、ほぼ同じとしている。
【００２９】
図４（ｃ）および（ｄ）では、更に、二枚の中間抵抗部２５，２５を備えることとしている。
【００３０】
（図５）
図５（ａ）および（ｂ）もまた、抵抗部を尾部２２の先端ではなく、中間部分へ備えることとした実施形態を示している。この抵抗部は、前述してきた抵抗部よりも水流受け面の面積が大きな大型抵抗部２６としている。
【００３１】
図５（ｃ）および（ｄ）では、前述した大型の逆向き抵抗部２７を備える。逆向き抵抗部２７とはすなわち、前方部２１に向かう向きとなるように尾部２２へ備えることとしている。
この逆向き抵抗部２７における水流受け面２３と水平方向とがなす角度（α）は、前方部２１の軸方向が水平である場合に尾部２２の軸方向が水平線となす角度（α）と同じとしている。
【００３２】
抵抗部の数、大きさ、取り付け位置などについて各種のバリエーションを示してきたが、それぞれ水流に対する動きが異なってくるので、これらは釣りをする場所、時間帯などによって使い分けることとなる。
【００３３】
本考案を実現した形態としての図示は省略しているが、図６（ａ）に示したようなハイブリッド型のルアーにおいて、本考案を実施することも可能である。
すなわち、錘および釣り針を備える前方部と、その前方部に対して着脱自在な差し込み尾部とによって形成されるハイブリッド型ルアーにおける前記の差し込み尾部の構造たるルアー用部材である。差し込み尾部は、可撓性のある材質にて形成し、前方部の軸方向に対して鈍角をなすように前方部に対して着脱自在とし、その差し込み尾部において水流を受ける抵抗部を備えるのである。
【産業上の利用可能性】
【００３４】
本考案は、釣り具の製造業、販売業またはレンタル業、アウトドアスポーツのインストラクター事業などにおいて、利用可能性を有する。
【符号の説明】
【００３５】
１０；  ライン                  １１；  釣り針
２０；  ルアー                  ２１；  前方部
２２；  尾部
２３；  抵抗部                  ２３Ａ；水流受け面
２４；  中間抵抗部              ２５；  中間抵抗部
２６；  大型抵抗部              ２７；  逆向き抵抗部
３０；  ハイブリッド型ルアー    ３１；  ラインアイ
３２；  釣り針                  ３３；  前方部
３４；  差し込み片              ３５；  差し込み尾部
【図１】
0003191193.tif 000003
【図２】
0003191193.tif 000004
【図３】
0003191193.tif 000005
【図４】
0003191193.tif 000006
【図５】
0003191193.tif 000007
【図６】
0003191193.tif 000008
【図７】
0003191193.tif 000009